(57)【要約】【課題】音切れなく任意の再生速度で音声を再生可能な音声再生装置を提供すること。【解決手段】音声再生装置は、圧縮オーディオデータを記憶するメモリと、所定のビットレートでメモリに格納されている圧縮オーディオデータを伸張するデコーダと、メモリに格納されている圧縮オーディオデータのビットレート情報が示すビットレート及び予め指定された再生速度に基づいて、デコーダが圧縮オーディオデータを伸張する際のビットレートを算出する制御部と、デコーダで伸張されたデジタルオーディオデータをアナログ信号に変換するＤ／Ａコンバータとを備える。【選択図】図１
2008097781.tif 000002
【特許請求の範囲】
【請求項１】
圧縮オーディオデータを記憶するメモリと、
所定のビットレートで前記メモリに格納されている圧縮オーディオデータを伸張するデコーダと、
前記メモリに格納されている圧縮オーディオデータのビットレート情報が示すビットレート及び予め指定された再生速度に基づいて、前記デコーダが前記圧縮オーディオデータを伸張する際のビットレートを算出する制御部と、
前記デコーダで伸張されたデジタルオーディオデータをアナログ信号に変換するＤ／Ａコンバータと、
を備えることを特徴とする音声再生装置。
【請求項２】
請求項１に記載の音声再生装置であって、
前記予め指定された再生速度は、当該音声再生装置のユーザによって指定された再生速度であることを特徴とする音声再生装置。
【発明の詳細な説明】
【技術分野】
【０００１】
本発明は、音声の再生速度を制御する音声再生装置に関する。
【背景技術】
【０００２】
図４は、光ディスクから圧縮オーディオデータを読み出して音声を再生する音声再生装置を示すブロック図である。図４に示す音声再生装置は、光ピックアップ１０１と、サーボＬＳＩ１０２と、半導体メモリ１０３と、デコーダ１０４と、マイコン１０５と、Ｄ／Ａコンバータ１０６と、スピンドルモータ１０７と、スレッドモータ１０８とを備える。サーボＬＳＩ１０２は、ＲＦアンプ１５１と、信号処理回路１５２と、制御回路１５３とを有する。
【０００３】
光ピックアップ１０１は、光ディスク１から圧縮データを読み取る。ＲＦアンプ１５１は、光ピックアップ１０１が読み取った圧縮データの信号を増幅する。信号処理回路１５２は、ＲＦアンプ１５１によって増幅された信号を処理して、圧縮オーディオデータを出力する。半導体メモリ１０３は、信号処理回路１５２から出力された圧縮オーディオデータを記憶する。デコーダ１０４は、半導体メモリ１０３に格納されている圧縮オーディオデータを読み出して伸張する。Ｄ／Ａコンバータ１０６は、デコーダ１０４で伸張されたデジタルオーディオデータをアナログ信号に変換する。マイコン１０５は、デコーダ１０４やサーボＬＳＩ１０２が有する制御回路１５３を制御する。サーボＬＳＩ１０２が有する制御回路１５３は、信号処理回路１５２やスピンドルモータ１０７、スレッドモータ１０８を制御する。スピンドルモータ１０７は、光ディスク１を回転させる。スレッドモータ１０８は、光ピックアップ１０１を移動させる。
【０００４】
上記音声再生装置が通常速度よりも早い速度で音声を再生する場合、音声再生装置は、図５に示すフローチャートに従って動作する。図５に示すように、音声再生装置が倍速再生指示を受け取ると、光ピックアップ１０１は光ディスク１から固定長分の圧縮データを読み取る（ステップＳ５０１）。光ピックアップ１０１によって読み取られた圧縮データはサーボＬＳＩ１０２を介して半導体メモリ１０３に格納される（ステップＳ５０２）。デコーダ１０４は、半導体メモリ１０３に格納された圧縮オーディオデータを伸張する。マイコン１０５は、一定の再生時間分のデータの伸張時間が経過したかを判断する（ステップＳ５０３）。所定時間が経過したと判断したマイコン１０５は、伸張を停止するようデコーダ１０４に指示する（ステップＳ５０４）。また、マイコン１０５は、光ピックアップ１０１が固定長分先のトラックへ移動するようサーボＬＳＩ１０２内の制御回路１５３を制御する（ステップＳ５０５）。音声再生装置が倍速再生を行う間、これらのステップＳ５０１〜Ｓ５０５が繰り返される。
【０００５】
図６は、図５に示すフローチャートに基づく、圧縮オーディオデータ、音出し位置及び音声出力の各イメージを示す図である。図６に示すように、圧縮オーディオデータＺ４０１が５つのデータ群Ｂ１〜Ｂ５を含む場合、デコーダ１０４は、各データ群の一定部分Ｄ１〜Ｄ５だけ圧縮オーディオデータを伸張する。その結果、圧縮オーディオデータＺ４０１の再生時間の内、一定期間Ａ１〜Ａ５の分だけ再生される。
【０００６】
【特許文献１】特開２００４−２０６７５７号公報
【発明の開示】
【発明が解決しようとする課題】
【０００７】
上記説明した音声倍速再生方法では、次の固定長分先のトラックの圧縮オーディオデータが半導体メモリ１０３に格納されていない場合、音切れが発生してしまう。デコーダ１０４が圧縮オーディオデータを伸張する際に、低ビットレートよりも高ビットレートの方が音声出力時間は短い。すなわち、図６を参照すると、デコーダ１０４が一定部分Ｄ１〜Ｄ５の圧縮オーディオデータを高ビットレートで伸張すると、低ビットレートで伸張した場合と比較して、期間Ａ１〜Ａ５の各時間は短くなる。この場合、光ピックアップ１０１が光ディスク１における次の固定長分先のトラックの位置へ移動（トラックジャンプ）する時間が短く、かつトラックジャンプの精度が良くないと、デコーダ１０４が伸張を行うべき圧縮オーディオデータが半導体メモリ１０３に格納されていないといった状態が生じ得る。このようなときに音切れが生じてしまう。また、半導体メモリ１０３の容量が小さいと音切れが生じる可能性が高い。音切れが頻繁に発生すると、聴感上、聞き苦しい。
【０００８】
本発明の目的は、音切れなく任意の再生速度で音声を再生可能な音声再生装置を提供することである。
【課題を解決するための手段】
【０００９】
本発明は、圧縮オーディオデータを記憶するメモリと、所定のビットレートで前記メモリに格納されている圧縮オーディオデータを伸張するデコーダと、前記メモリに格納されている圧縮オーディオデータのビットレート情報が示すビットレート及び予め指定された再生速度に基づいて、前記デコーダが前記圧縮オーディオデータを伸張する際のビットレートを算出する制御部と、前記デコーダで伸張されたデジタルオーディオデータをアナログ信号に変換するＤ／Ａコンバータと、を備える音声再生装置を提供する。
【００１０】
上記音声再生装置では、前記予め指定された再生速度は、当該音声再生装置のユーザによって指定された再生速度である。
【発明の効果】
【００１１】
本発明に係る音声再生装置によれば、音切れなく任意の再生速度で音声を再生することができる。
【発明を実施するための最良の形態】
【００１２】
以下、本発明の実施形態について、図面を参照して説明する。
【００１３】
（第１の実施形態）
図１は、光ディスクから圧縮オーディオデータを読み出して音声を再生する一実施形態の音声再生装置を示すブロック図である。図１に示す音声再生装置は、光ピックアップ１０１と、サーボＬＳＩ１０２と、半導体メモリ１０３と、デコーダ５０１と、マイコン５０２と、Ｄ／Ａコンバータ１０６と、スピンドルモータ１０７と、スレッドモータ１０８とを備える。サーボＬＳＩ１０２は、ＲＦアンプ１５１と、信号処理回路１５２と、制御回路１５３とを有する。図１に示す音声再生装置が図４に示した音声再生装置と異なる点は、デコーダ５０１及びマイコン５０２である。このため、図１において、デコーダ５０１及びマイコン５０２以外の図４と共通する構成要素には同じ参照符号が付されている。
【００１４】
光ピックアップ１０１は、光ディスク１から圧縮データを読み取る。ＲＦアンプ１５１は、光ピックアップ１０１が読み取った圧縮データの信号を増幅する。信号処理回路１５２は、ＲＦアンプ１５１によって増幅された信号を処理して、圧縮オーディオデータを出力する。半導体メモリ１０３は、信号処理回路１５２から出力された圧縮オーディオデータを記憶する。デコーダ５０１は、半導体メモリ１０３に格納されている圧縮オーディオデータを読み出して伸張する。本実施形態のデコーダ５０１は、通常速度での再生時には圧縮オーディオデータのヘッダに含まれるビットレート情報が示すビットレートで伸張処理を行うが、倍速での再生時にはマイコン５０２から指示されたビットレートで伸張処理を行う。
【００１５】
Ｄ／Ａコンバータ１０６は、デコーダ５０１で伸張されたデジタルオーディオデータをアナログ信号に変換する。マイコン５０２は、デコーダ５０１やサーボＬＳＩ１０２が有する制御回路１５３を制御する。倍速での再生時、マイコン５０２は、半導体メモリ１０３に格納された圧縮オーディオデータのビットレート情報と、ユーザによって指定された再生速度とに基づいて、デコーダ５０１に指示するビットレートを算出する。サーボＬＳＩ１０２が有する制御回路１５３は、信号処理回路１５２やスピンドルモータ１０７、スレッドモータ１０８を制御する。スピンドルモータ１０７は、光ディスク１を回転させる。スレッドモータ１０８は、光ピックアップ１０１を移動させる。
【００１６】
本実施形態の音声再生装置が通常速度よりも早い速度で音声を再生する場合、音声再生装置は、図２に示すフローチャートに従って動作する。図２に示すように、音声再生装置が倍速再生指示を受け取ると、光ピックアップ１０１は光ディスク１から圧縮データを読み取る（ステップＳ２０１）。光ピックアップ１０１によって読み取られた圧縮データはサーボＬＳＩ１０２を介して半導体メモリ１０３に格納される（ステップＳ２０２）。マイコン５０２は、半導体メモリ１０３に格納されている圧縮オーディオデータのビットレートと、ユーザによって指定された再生速度とに基づいて、デコーダ５０１に指示するビットレートを算出する（ステップＳ２０３）。デコーダ５０１は、マイコン５０２により指示されたビットレートで半導体メモリ１０３に格納されている圧縮オーディオデータを伸張する（ステップＳ２０４）。
【００１７】
図３は、図２に示すフローチャートに基づく、圧縮オーディオデータ、通常速度での再生時の音声出力イメージ、倍速再生時の音声出力イメージ及び１／２速度での再生時の音声出力イメージを示す図である。図３に示すように、圧縮オーディオデータＺ５０１が３つのデータ群Ｃ１〜Ｃ３を含む場合について説明する。通常速度での再生時には、デコーダ５０１は、圧縮オーディオデータのビットレート情報が示すビットレートで圧縮オーディオデータを伸張する。その結果、音声再生装置は、符号Ｚ５０２に示す時間長Ｎ１〜Ｎ４の音声を出力する。
【００１８】
倍速再生時には、デコーダ５０１は、マイコン５０２によって算出されたビットレートで圧縮オーディオデータを伸張する。その結果、音声再生装置は、符号Ｚ５０３に示す時間長Ｆ１〜Ｆ３の音声を出力する。音声Ｚ５０３の時間長Ｆ１〜Ｆ３は、音声Ｚ５０２の時間長Ｎ１〜Ｎ３の半分である。圧縮オーディオデータのビットレート情報が示すビットレートより大きいレートで伸張すると、音声を出力する時間長が短くなる。例えば、２倍のビットレートで伸張すると、オーディオデータは実際の１／２の量となり、音声出力の時間長は１／２倍となる。このとき、聴感上、早送りしているように聞こえる。
【００１９】
１／２速度での再生時にも、デコーダ５０１は、マイコン５０２によって算出されたビットレートで圧縮オーディオデータを伸張する。その結果、音声再生装置は、符号Ｚ５０４に示す時間長Ｌ１〜Ｌ３の音声を出力する。音声Ｚ５０４の時間長Ｌ１〜Ｌ３は、音声Ｚ５０２の時間長Ｎ１〜Ｎ３の２倍である。圧縮オーディオデータのビットレート情報が示すビットレートより小さいレートで伸張すると、音声を出力する時間長が長くなる。例えば、１／２倍のビットレートで伸張すると、オーディオデータは実際の２倍の量となり、音声出力の時間長は２倍となる。このとき、聴感上、スロー再生しているように聞こえる。
【００２０】
以上説明したように、本実施形態の音声再生装置によれば、倍速再生時にトラックジャンプを行う必要がないため、音切れが生じる可能性をなくすことができる。また、マイコン５０２によりビットレートを指定することができるため、任意の再生速度で再生することができる。さらに、音切れの問題がないため半導体メモリ１０３の容量を最低限まで小さくすることができる。
【産業上の利用可能性】
【００２１】
本発明に係る音声再生装置は、音切れなく任意の再生速度で音声を再生する音声再生装置等として有用である。
【図面の簡単な説明】
【００２２】
【図１】光ディスクから圧縮オーディオデータを読み出して音声を再生する一実施形態の音声再生装置を示すブロック図
【図２】一実施形態の音声再生装置の動作を示すフローチャート
【図３】圧縮オーディオデータ、通常速度での再生時の音声出力イメージ、倍速再生時の音声出力イメージ及び１／２速度での再生時の音声出力イメージを示す図
【図４】光ディスクから圧縮オーディオデータを読み出して音声を再生する従来の音声再生装置を示すブロック図
【図５】従来の音声再生装置の動作を示すフローチャート
【図６】圧縮オーディオデータ、音出し位置及び音声出力の各イメージを示す図
【符号の説明】
【００２３】
１０１  光ピックアップ
１０２  サーボＬＳＩ
１０３  半導体メモリ
５０１  デコーダ
５０２  マイコン
１０６  Ｄ／Ａコンバータ
１０７  スピンドルモータ
１０８  スレッドモータ
１５１  ＲＦアンプ
１５２  信号処理回路
１５３  制御回路
【図１】
2008097781.tif 000003
【図２】
2008097781.tif 000004
【図３】
2008097781.tif 000005
【図４】
2008097781.tif 000006
【図５】
2008097781.tif 000007
【図６】
2008097781.tif 000008